(57)【要約】【課題】受信側ファクシミリ装置側で電源供給が遮断されても、ファクシミリ通信内容をロスすることのないファクシミリ装置及びファクシミリ通信システムを提供する。【解決手段】受信側ファクシミリ装置１０ｂは、ある時間帯に停電により電源供給が絶たれる場合、停電情報は、受信側ファクシミリ装置１０ｂから送信側ファクシミリ装置１０ａに送られる。送信側ファクシミリ装置１０ａは、通常は受信側ファクシミリ装置１０ｂに向けてファクシミリ送信を行うが、通知された停電情報により、停電の間は、代替先ファクシミリ番号の代替先ファクシミリ装置１０ｃに向けてファクシミリ送信を行う。【選択図】図１
2013066108.tif 000002
【特許請求の範囲】
【請求項１】
受信側ファクシミリ装置に画像データを送信する送信側ファクシミリ装置であって、
前記受信側ファクシミリ装置とデータの送受信を行う通信手段と、
前記受信側ファクシミリ装置から前記通信手段を介して受信した、前記受信側ファクシミリ装置の停電時間と、停電中に送信する代替先ファクシミリ装置の宛先を含む停電情報を記憶する第１の記憶手段と、
を備え、
前記停電情報の停電時間に到達した場合、前記受信側ファクシミリ装置に全画像データを送信後、前記代替先ファクシミリ装置へ切り換えて画像データの送信を行うことを特徴とする送信側ファクシミリ装置。
【請求項２】
前記代替先ファクシミリ装置へは全画像データを送信することを特徴とする請求項１に記載の送信側ファクシミリ装置。
【請求項３】
停電時間以降に送信した画像データのみを送信することを特徴とする請求項１又は２に記載の送信側ファクシミリ装置。
【請求項４】
前記受信側ファクシミリ装置より前記停電情報を受信中に停電時間に到達した場合は、前記第１の記憶手段に受信先停電の情報を登録し、利用者に報知することを特徴とする請求項１に記載の送信側ファクシミリ装置。
【請求項５】
送信側ファクシミリ装置から画像データを受信する受信側ファクシミリ装置であって、
前記送信側ファクシミリ装置とデータの送受信を行う通信手段と、
前記受信側ファクシミリ装置の停電時間と、停電中に送信する代替先ファクシミリ装置の宛先を含む停電情報を記憶する第２の記憶手段と、
を備え、
前記停電情報を前記通信手段により前記送信側ファクシミリ装置に送信することを特徴とする受信側ファクシミリ装置。
【請求項６】
前記停電情報は、該停電情報が登録されている外部装置からの通知、あるいはポーリングによって取得して第２の記憶手段に記憶されている停電情報を更新することを特徴とする請求項５に記載の受信側ファクシミリ装置。
【請求項７】
非標準手順信号を使用して、前記停電情報を通知することを特徴とする請求項５に記載の受信側ファクシミリ装置。
【請求項８】
請求項１から４のいずれか一項に記載の送信側ファクシミリ装置と、
請求項５から７のいずれか一項に記載の受信側ファクシミリ装置と、
前記受信側ファクシミリ装置が停電で停止したとき、代わりに前記送信側ファクシミリ装置から画像データを受信する代替先ファクシミリ装置と、
を備えたことを特徴とするファクシミリ通信システム。
【発明の詳細な説明】
【技術分野】
【０００１】
本発明は、停電により電源供給が遮断された場合にも通信内容を失うことのないファクシミリ装置に関する。
【背景技術】
【０００２】
従来のファクシミリ装置では、ファクシミリ通信中に受信側装置が停電等で装置への電源供給が遮断された場合、送信側装置は受信側装置の電源供給が遮断されてしまったことを知ることができず、単なる通信エラーとして処理されるため、送信側装置は所定回数の再送信（再発信）を実行していた。しかしこの状態では、何度再送信を行なっても、受信側装置の電源供給が再度行なわれない限り通信エラーとなるばかりで不都合が生じていた。
【０００３】
この課題を解決するために、例えば特許文献１のように、ファクシミリの送信処理が未完了の場合（送信処理が開始されたが、停電発生等で送信処理が未完了）、当該ファクシミリ装置に「未完了」を表示し、また、受信先ファクシミリ装置が不応答の場合には、当該ファクシミリ装置を「送信処理未開始」状態とする処理を行なっていた。このようなファクシミリ装置によって、利用者に送信処理が未完了であることを認識させたり、受信先ファクシミリ装置が不応答の場合には、送信側装置の空き状態を待って再送信を行なうことができた。
【先行技術文献】
【特許文献】
【０００４】
【特許文献１】特開平６−５４１６１号公報
【発明の概要】
【発明が解決しようとする課題】
【０００５】
しかしながら、特許文献１では、送信側装置は送信処理未完了を認識できるものの、その理由が受信側装置の停電発生によるものであることは知り得ず、その結果、受信側装置の空き状態を長時間待ち、その結果送信処理の実行が完了できるため、非常に効率および使い勝手が悪い。
【０００６】
本発明は、斯かる実情に鑑み、受信側ファクシミリ装置側で電源供給が遮断されても、ファクシミリ通信内容をロスすることのないファクシミリ装置及びファクシミリ通信システムを提供することを目的とする。
【課題を解決するための手段】
【０００７】
本発明は、受信側ファクシミリ装置に画像データを送信する送信側ファクシミリ装置であって、前記受信側ファクシミリ装置とデータの送受信を行う通信手段と、前記受信側ファクシミリ装置から前記通信手段を介して受信した、前記受信側ファクシミリ装置の停電時間と、停電中に送信する代替先ファクシミリ装置の宛先を含む停電情報を記憶する第１の記憶手段と、を備え、前記停電情報の停電時間に到達した場合、前記受信側ファクシミリ装置に全画像データを送信後、前記代替先ファクシミリ装置へ切り換えて画像データの送信を行うことを特徴とする。
【０００８】
また、本発明の送信側ファクシミリ装置において、前記代替先ファクシミリ装置へは全画像データを送信することを特徴とする。
【０００９】
また、本発明の送信側ファクシミリ装置において、停電時間以降に送信した画像データのみを送信することを特徴とする。
【００１０】
また、本発明の送信側ファクシミリ装置において、前記受信側ファクシミリ装置より前記停電情報を受信中に停電時間に到達した場合は、前記第１の記憶手段に受信先停電の情報を登録し、利用者に報知することを特徴とする。
【００１１】
また、本発明は、送信側ファクシミリ装置から画像データを受信する受信側ファクシミリ装置であって、前記送信側ファクシミリ装置とデータの送受信を行う通信手段と、前記受信側ファクシミリ装置の停電時間と、停電中に送信する代替先ファクシミリ装置の宛先を含む停電情報を記憶する第２の記憶手段と、を備え、前記停電情報を前記通信手段により前記送信側ファクシミリ装置に送信することを特徴とする。
【００１２】
また、本発明の受信側ファクシミリ装置において、前記停電情報は、該停電情報が登録されている外部装置からの通知、あるいはポーリングによって取得して第２の記憶手段に記憶されている停電情報を更新することを特徴とする。
【００１３】
また、本発明の受信側ファクシミリ装置において、非標準手順信号を使用して、前記停電情報を通知することを特徴とする。
【００１４】
また、本発明は、前記送信側ファクシミリ装置と、前記受信側ファクシミリ装置と、
前記受信側ファクシミリ装置が停電で停止したとき、代わりに前記送信側ファクシミリ装置から画像データを受信する代替先ファクシミリ装置と、
を備えたことを特徴とするファクシミリ通信システムである。
【発明の効果】
【００１５】
本発明によれば、受信側ファクシミリ装置側で電源供給が遮断されることが予め分かっている場合には、通信手順を利用して、代替となる受信側ファクシミリ装置を送信側ファクシミリ装置に通知し、代替の装置とファクシミリ通信させ、代替の装置で受信した画像情報を簡易な方法で取得させるので、使い勝手がよく、ファクシミリ通信内容をロスすることのないという優れた効果を奏し得る。
【図面の簡単な説明】
【００１６】
【図１】本実施形態に係るファクシミリ装置によって構築された通信システムの構成図である。
【図２】本実施形態に係るファクシミリ装置の構成を示すブロック図である。
【図３】ファクシミリ装置の発呼側装置と被呼側装置との間におけるファクシミリ通信手順を示すシーケンス図である。
【図４】送信側ファクシミリ装置の動作を示すフローチャートである。
【図５】受信側ファクシミリ装置の動作を示すフローチャートである。
【発明を実施するための形態】
【００１７】
以下、本発明の実施の形態を添付図面を参照して説明する。
【００１８】
図１は、本実施形態に係るファクシミリ装置によって構築された通信システムの構成図である。
このシステムは、ファクシミリ装置１０ａ，１０ｂ，１０ｃと、停電情報が予め登録されている外部装置（サーバ）５０とから構成される。ファクシミリ装置１０ａは、データ送信側（発呼側）の装置であり、ファクシミリ装置１０ｂは、データ受信側（被呼側）の装置であり、ファクシミリ装置１０ｃは、ファクシミリ装置１０ｂの代替先の装置である。ファクシミリ装置１０ａ，１０ｂ，１０ｃは、電話回線（一般公衆電話回線）に接続されており、ファクシミリ画像データの送受信が可能となっている。また、外部装置５０は、インターネット等のネットワーク６０を介してファクシミリ装置１０ｂに接続されている。
【００１９】
受信側ファクシミリ装置１０ｂは、ある時間帯に停電により電源供給が絶たれるとする。この場合、受信側ファクシミリ装置１０ｂは、あらかじめ停電情報を取得する。停電情報とは、何時から何時までの間停電となるかを示す停電時間と、代替先のファクシミリ装置へ送信するための宛先情報（ファクシミリ番号）とを含む停電に関する情報である。この停電情報を取得する場合は、２種類の方法がある。まず、ユーザが停電情報をファクシミリ装置１０ｂに直接入力する方法である。もう一つは、外部装置（配信サーバ等）５０に停電情報が記憶されており、外部装置５０がネットワーク６０を介して受信側ファクシミリ装置１０ｂに停電情報を送る方法である。
【００２０】
停電情報は、受信側ファクシミリ装置１０ｂから送信側ファクシミリ装置１０ａに送られる。送信側ファクシミリ装置１０ａは、通常は受信側ファクシミリ装置１０ｂに向けてファクシミリ送信を行うが、通知された停電情報により、停電の間は、代替先ファクシミリ番号の代替先ファクシミリ装置１０ｃに向けてファクシミリ送信を行う。
【００２１】
図２は、本実施形態に係るファクシミリ装置の構成を示すブロック図である。ファクシミリ装置１０ａ，１０ｂ，１０ｃは共通の構成である。
【００２２】
このファクシミリ装置１０は、データ（画像データ）を記録媒体に印刷するプリンタ／コピーや、電話回線を利用した通常のファクシミリとしての機能を有する。
【００２３】
このファクシミリ装置１０は、メイン制御部１１、パネル制御部１２、制御用メモリ１３、制御用バッファ１４、読取部１５、記録部１６、画像記憶部１７、符号／復号化制御部１８、ＬＡＮ（Local Area Network）制御部１９、モデム２０、網制御部（ＮＣＵ：Network Control Unit）２１を備えて構成されている。以下、各部について説明する。
【００２４】
メイン制御部１１は、ＣＰＵ（Central Processin Uit）などを備えて構成され、ファクシミリ装置１０の全体を統括的に制御する。
【００２５】
パネル制御部１２では、原稿の読み込み、相手先入力などの指示が行われ、対応した画面が表示される。パネル制御部１２は、図示しない表示装置及び操作部を備えている。表示装置は、液晶表示装置（ＬＣＤ）又はＣＲＴディスプレイ等の表示装置であり、動作状態や送信先などを表示する。操作部は、操作するために必要なキー（入力装置）を備えている。本実施形態のパネル制御部１２は、表示装置及び操作部を一体としたタッチパネルである。本実施形態ではパネル制御部１２のタッチパネルから、相手先の設定を行う。設定された相手先情報は、制御用メモリ１３に格納される。
【００２６】
制御用メモリ１３は、ＲＯＭなどの不揮発性のメモリや、バックアップされた揮発性のメモリなどから成り、各種制御プログラムや相手先情報（送信先の電話番号、短縮番号等）が格納されているとともに、これらの制御プログラムを実行するのに必要なシステムデータや各種データが記憶されている。制御用バッファ１４は、ＲＡＭ等から成り、制御プログラムを動作させる上で必要なデータを格納する。画像記憶部１７は、符号化された画像データもしくはフォーマット変換後のデータを記憶するとともに、後述する読取部１５から読込んだデータ、またはファクシミリ受信したデータ、復号化後のデータなどを記憶する。
【００２７】
読取部１５は、原稿読取り手段としての光電変換素子（ＣＣＤ；Charge Coupled Device）を利用したスキャナで、原稿を所定の解像度で読取る。そして、読取った結果、ドットイメージデータを出力する。記録部１６は、電子写真方式のプリンタ装置を備え、ファクシミリ通信によって受信した原稿画像や読取部１５で読取った原稿画像等のデータをハードコピー（プリントアウト）する。また、サーマル素子を利用したサーマル記録装置として構成されていてもよい。
【００２８】
符号／復号化制御部１８は、読込んだ原稿画像のデータの符号化や画像データ受信時の復号化を行う。すなわち、この符号／復号化制御部１８は、読取部１５で読取った原稿画像のデータを、算術符号化演算により符号化圧縮するとともに、符号化圧縮されている受信画像データを元のデータに復号化する。この符号／復号化制御部１８は、ファクシミリ通信で一般に使用されている、ＭＨ（Modified Hufman）、ＭＲ（Modified READ）、ＭＭＲ（Modified Modified READ）、及びＪＢＩＧなどの符号化方式を用いることができる。
【００２９】
ＬＡＮ制御部１９は、インターネット経由による外部装置（サーバ）５０との送受信通信を行うために、ＬＡＮ（Local Area Network）と接続するためのものである。モデム２０は、Ｇ３通信の送信信号を回線の伝達に適した形態に変調し、また、回線から送られてきた変調信号を復調するファクシミリモデムから構成されている。このモデム２０は、網制御部（ＮＣＵ：Network Control Unit）２１を介して公衆電話回線と接続されている。網制御部２１は、アナログの公衆電話回線網（ＰＳＴＮ）との回線の閉結及び開放の回線制御動作を行うハードウェアであり、必要に応じてモデム２０を公衆電話回線網と接続する。つまり、この網制御部２１は、Ｇ３通信プロトコルに従って画像データの送・受信及び制御信号の送・受信を行うとともに、自動発・着呼処理を行う。
【００３０】
次に、図１のファクシミリ装置１０ａ、１０ｂ間での通信手順について説明する。
図３は、ファクシミリ装置の発呼側装置と被呼側装置との間におけるファクシミリ通信手順を示すシーケンス図である。発呼側装置と被呼側装置は、ＩＴＵ−Ｔ勧告Ｖ．２１に規定される手順にて通信（Ｇ３通信）を行うものとするが、これに限定されるわけではない。
【００３１】
発呼側装置１０ａから被呼側装置１０ｂに対してデータを送信する場合、最初に発呼側装置１０ａから被呼側装置１０ｂ対し、ダイヤリングが行われて通信接続し、コーリングトーン（ＣＮＧ：Calling Tone）が送信される。
【００３２】
被呼側装置１０ｂがＩＴＵ−Ｔ勧告のＶ．２１の手順に従う装置であれば、被呼側装置１０ｂは、発呼側装置１０ａからのコーリングトーンを検出すると、まず被呼局識別信号（ＣＥＤ：Called Station Identification signal）を送出し、続いて、自装置の製造メーカ情報を含む非標準機能信号（ＮＳＦ：Non-Standard Facilities signal）と、自装置の電話番号を含む被呼装置識別信号（ＣＳＩ：Called Subscriber Identification signal）と、伝送速度や最大受信幅などの自装置の性能情報を含むデジタル識別信号（ＤＩＳ：Digital Transmit Command signal）とを送出することによって、自装置の機能を発呼側装置１０ａへ知らせる。
【００３３】
すると、これらの信号に応答して、発呼側装置１０ａが、自装置の電話番号を含む送信装置識別信号（ＴＳＩ：Transmitting Subscriber Identification signal）と、伝送速度や最大受信幅などの自装置の性能情報を含むデジタル命令信号（ＤＣＳ：Digital Command Signal）とを送出することによって、自装置の機能を被呼側装置１０ｂへ知らせる。自装置の製造メーカ情報を含む非標準手順信号（ＮＳＳ：Non-Standard facilities Set-up）も被呼側装置へ知らせる場合がある。
【００３４】
続いて、発呼側装置１０ａから送信されたトレーニングチェック信号（ＴＣＦ：Training Check signal）を被呼側装置１０ｂが受信すると、受信準備確認信号（ＣＦＲ：Confirmation to Receive signal）が被呼側装置１０ｂから発呼側装置１０ａに返信される。
【００３５】
発呼側装置１０ａは、被呼側装置１０ｂからＣＦＲ信号を受信後、被呼側装置１０ｂに対して、画像のデータ（ＰＩＸ）を１ページ分ずつ送信する。全ての符号化データの送信が終了すると、被呼側装置１０ｂに手順終了信号（ＰＰＳ−ＥＯＰ）を送信する。全ページ分の画像のデータを受信したことを被呼側装置１０ｂが確認すれば、メッセージ確認信号（ＭＣＦ：Message Confirmation Signal）が被呼側装置１０ｂから発呼側装置１０ａに返信される。
最後に、切断命令信号ＤＣＮ（Disconnect signal）が発呼側装置１０ａから送信されて被呼側装置１０ｂで受信されると、ファクシミリ通信が終了する。
【００３６】
この様な各信号およびデータを送受するための制御は、発呼側および被呼側のファクシミリ装置のいずれにおいてもメイン制御部１１によって行われる。
【００３７】
ファクシミリ通信は上記手順で行われるが、図３の新規信号は、停電情報を意味し、これによって停電情報を発呼側装置１０ａに通知する。停電情報は、図１に示したように、被呼側装置１０ｂにユーザが直接入力したり、あるいは外部装置５に記憶された停電情報を被呼側装置１０ｂに取得したりする。そして、ＮＳＦ／ＣＳＩ／ＤＩＳ信号を発呼側装置１０ａに通知後、新規信号として停電情報を通知する。あるいは、ＰＰＳ−ＥＯＰ信号が発呼側装置１０ａから被呼側装置１０ｂに通知された時点で、被呼側装置１０ｂから発呼側装置１０ａに新規信号として停電情報を通知する。
【００３８】
しかし、通知タイミングはこれに限るものではない。たとえば、ＮＳＦ信号にて停電情報を通知してもよい。この場合はＮＳＦ信号の中身にＡＳＣＩＩコードにて停電情報を入れて通知する。また、通知形式は、ＡＳＣＩＩコードに限るものではなく、別の形式でもよい。
【００３９】
上記通信手順は、ＩＴＵ−Ｔ勧告Ｖ．２１に規定される手順であったが、ＩＴＵ−Ｔ勧告Ｖ．８に規定される手順でも通信（スーパーＧ３通信）してもよい。たとえば、送信側と受信側のファクシミリ装置が、スーパーＧ３対応とする。その場合は、発呼側装置１０ａからＣＮＧ信号が被呼側装置１０ｂに送信されると、被呼側装置１０ｂはＡＮＳａｍ信号を送信し、発呼側装置１０ａがＡＮＳａｍ信号を受信することで、Ｖ．８手順が開始される。従って、停電情報はそれ以降に送信される。
【００４０】
また、送受信のファクシミリ装置の片方がＧ３対応で、他方がスーパーＧ３の対応の場合もあり、そのときはＶ．２１対応であることを示す信号を相手に送り、Ｇ３通信が行われる。この場合には、停電信号は、Ｖ．２１対応であることを示す信号が送信され、Ｇ３通信が開始されてから送信される。
【００４１】
図４のフローチャートを用いて送信側ファクシミリ装置の動作を説明する。
【００４２】
ステップＳ１では、送信側ファクシミリ装置（発呼側装置）１０ａのメイン制御部１１は、パネル制御部１２より入力されたファクシミリ送信を行う相手先のファクシミリ番号をもとにモデム２０及び網制御部２１を介して回線に対してダイヤルを実施する。
ステップＳ２では、発呼側装置１０ａのメイン制御部１１がＴ０タイマーをスタートさせる。
【００４３】
ステップＳ３では、モデム２０及び網制御部２１を介してＣＮＧ信号を送出する。このＣＮＧ信号にて、受信側ファクシミリ装置（被呼側装置）１０ｂは、電話の相手がファクシミリ送信してきていることが分かる。
【００４４】
ステップＳ４では、送信側ファクシミリ装置１０ａのメイン制御部１１が、相手機１０ｂから次のいずれかの信号（ＡＮＳａｍ、ＣＥＤ、ＤＩＳ、Ｖ．２１）が送信されているかどうかを判断し、送信されている場合には、ＩＴＵ−Ｔ  Ｔ．３０の手順に従ってファクシミリ送信を行う。
【００４５】
ステップＳ４で、相手機１０ｂからの上記信号が検出できない場合、ステップＳ５にてＴ０時間が経過（タイムアップ）しているかどうかを判定する。ステップＳ５にて、タイムアップしていない場合には、ステップＳ３に戻り、ＣＮＧ信号の送出からのステップを繰り返す。ステップＳ５にて、タイムアップしている場合には、ステップＳ６にて相手機１０ｂが無応答として回線を切断する。
【００４６】
ステップＳ４では、相手機１０ｂからの信号（ＡＮＳａｍ、ＣＥＤ、ＤＩＳ、Ｖ．２１のいずれか）を検出している場合には、ステップＳ７にて停電情報が受信側から送信されてきているかどうかを判断する。停電情報が送信されてきていない場合には、ステップＳ８にて送信側ファクシミリ装置１０ａのメイン制御部１１は、通常のファクシミリ送信を行う。
【００４７】
ステップＳ７にて停電情報が受信側ファクシミリ装置１０ｂから送信されてきている場合には、ステップＳ９にて送信側ファクシミリ装置１０ａのメイン制御部１１は、停電情報受信による処理を実施し、その後、ステップＳ８に進んでファクシミリ送信を行う。
【００４８】
ステップＳ９による停電情報受信による処理としては、停電情報を送信側ファクシミリ装置１０ａの制御用メモリ１３に記憶する。停電情報には、以下の情報が含まれている。
・停電している時間情報
・停電時の代替先であるファクシミリの番号情報
停電している時間情報は、時間帯のみ、日付＋時間、停電している時間などがある。停電時の代替先であるファクシミリの番号情報は一つとは限らず、複数でもよい。
【００４９】
なお、停電情報の信号受信は、どのタイミングでもよい。ここの説明では、便宜上、相手機からのファクシミリ信号（ＡＮＳａｍ、ＣＥＤ、ＤＩＳ、Ｖ．２１）を受信した後として記載している。
【００５０】
ステップＳ９で、受信側ファクシミリ装置１０ｂから停電情報を受信し、停電情報を制御用メモリ１３に記憶した後、この停電情報に基づいて、送信側ファクシミリ装置１０ａのメイン制御部１１は、ステップＳ８で、次のようなファクシミリ通信を行う。
（１）停電時間に達しても受信側ファクシミリ装置１０ｂにファクシミリ送信を続ける。ファクシミリ送信途中で送信エラーが発生した場合でも、全画像データを受信側ファクシミリ装置に送信する。その後、制御用メモリ１３に記憶した停電情報に基づき、代替先ファクシミリ装置１０ｃへコールし、全画像データを送信する。
（２）停電時間に達しても受信側ファクシミリ装置１０ｂにファクシミリ送信を続ける。ファクシミリ送信途中で送信エラーが発生した場合でも、全画像データを受信側ファクシミリ装置に送信する。その後、制御用メモリ１３に記憶した停電情報に基づき、代替先ファクシミリ装置１０ｃへコールし、停電時間以降に送信した画像データのみを送信する。
（３）画像データを受信側ファクシミリ装置１０ｂに送信中に、停電情報を受信側ファクシミリ装置１０ｂから受信した場合、（１）（２）の処理が間に合わなかった可能性もあるので、制御メモリ１３に「受信先停電」という履歴を残し、送信側ファクシミリ装置１０ａのパネル制御部１２がその旨を表示して利用者に報知する。報知するのは、これに限らず、停電情報と送信画像データに関する情報を印刷してもよい。
【００５１】
（１）の場合は、代替先ファクシミリ装置に全ての画像データが送信されるので、送信漏れがないという利点がある。
（２）の場合は、停電以降の送信画像データのみを代替先ファクシミリ装置に送るので、データを二重に送らずに済み、通信費も安くできる。
（３）の場合は、利用者に代替先ファクシミリ装置への送信が不十分であった可能性があることを報知するので、再び送信するなどの処理ができ、送信漏れを防ぐことができる。
【００５２】
続いて、図５のフローチャートを用いて受信側ファクシミリ装置の動作を説明する。
【００５３】
ステップＳ１１では、交換機からの呼出音を検出して、ステップＳ１２にて、ファクシミリ受信動作を開始する。
ステップＳ１３では、受信側ファクシミリ装置１０ｂのメイン制御部１１が、制御用メモリ１３に、予め登録された停電情報があるかどうかを判断する。停電情報が登録されていない場合には、ステップＳ１５へ進み、通常のファクシミリ受信を実施する。停電情報が登録されている場合には、ステップＳ１４へ進む。
【００５４】
ステップＳ１４にて、停電情報を読み出し、送信側ファクシミリ装置１０ａに対して、停電情報を通知する。停電情報を通知後は、通常のファクシミリ受信を実施する（ステップＳ１５）。
【００５５】
ここで、図１でも説明したが、停電情報の登録は次のように行う。
・ユーザによる受信側ファクシミリ装置１０ｂへの直接登録
・登録された停電情報取得先の外部装置５０からの受信側ファクシミリ装置１０ｂへの通知あるいは受信側ファクシミリ装置１０ｂのポーリングによる取得
【００５６】
このように、受信側ファクシミリ装置１０ｂが停電により機能できない場合に、予め送信側ファクシミリ装置１０ａに停電情報として通知されていた代替先ファクシミリ装置１０ｃにデータを受信しておくので、受信データを喪失することがない。
【００５７】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【００５８】
１０  ファクシミリ装置
１０ａ  送信側ファクシミリ装置（発呼側装置）
１０ｂ  受信側ファクシミリ装置（被呼側装置）
１０ｃ  代替先ファクシミリ装置
１１  メイン制御部
１２  パネル制御部
１３  制御用メモリ
１４  制御用バッファ
１５  読取部
１６  記録部
１７  画像記憶部
１８  復号化制御部
１９  ＬＡＮ制御部
２０  モデム
２１  網制御部
５０  外部装置
６０  ネットワーク
【図１】
2013066108.tif 000003
【図２】
2013066108.tif 000004
【図３】
2013066108.tif 000005
【図４】
2013066108.tif 000006
【図５】
2013066108.tif 000007